(57)【特許請求の範囲】
【請求項１】
残高情報とカード識別情報を含んだカード情報を記憶するＩＣカードに近接させることで、前記残高情報に基づいて請求情報の決済処理を実行するインターネット接続機能を備えた携帯情報端末において、
前記携帯情報端末は、
前記ＩＣカードと近接させることで、前記ＩＣカードから前記カード情報を取得する端末側アンテナと、
前記端末側アンテナが取得した前記カード情報を記憶する端末側記憶手段と、
ユーザからの入力を受け付け可能な入力手段と、
決済処理を実行可能な制御手段と、
ユーザが前記携帯情報端末においてインターネット接続によるネットショッピングを行った際、購入する商品やコンテンツを確定した後、ユーザに前記携帯情報端末への前記ＩＣカードの第１近接操作を促す第１近接操作要求処理と、
前記ＩＣカードと前記携帯情報端末に設けられた端末側アンテナの通信により前記第１近接操作が行われたことを判断した場合、ユーザに前記携帯情報端末に設けられた入力手段による入力操作を促す入力操作要求処理と、
前記入力操作が行われた場合、ユーザに前記携帯情報端末への前記ＩＣカードの第２近接操作を促す第２近接操作要求処理と、
前記ＩＣカードと前記端末側アンテナの通信により前記第２近接操作が行われたことを判断した場合、前記ＩＣカードに記憶される前記残高情報から、前記商品やコンテンツの購入に関して支払うべき前記請求情報の引き去りを実行する引き去り処理と、を実行する制御手段と、を備えたことを特徴とする
携帯情報端末。
【請求項２】
前記第１近接操作では、前記ＩＣカードから前記カード識別情報の少なくとも一部分を読み取って、前記端末側記憶手段に記憶させ、
前記入力操作要求処理は、前記端末側記憶手段に記憶させた前記カード識別情報の少なくとも一部分の入力操作を促し、
前記第２近接操作要求処理は、前記端末側記憶手段に記憶させた前記カード識別情報の少なくとも一部分と、前記入力操作にて入力された入力情報が一致したときに実行されることを特徴とする
請求項１に記載の携帯情報端末。
【請求項３】
前記入力操作要求処理は、表示手段に認証確認情報を表示させ、
前記第２近接操作要求処理は、前記入力操作にて入力された入力情報と、前記表示手段
に表示させた認証確認情報が一致したときに実行されることを特徴とする
請求項１に記載の携帯情報端末。
【請求項４】
前記第１近接操作では、前記ＩＣカードから前記カード識別情報の少なくとも一部分を読み取って、前記端末側記憶手段に記憶させ、
前記引き去り処理は、前記端末側記憶手段に記憶させた前記カード識別情報の少なくとも一部分と、前記第２近接操作時に前記ＩＣカードから読み取った前記カード識別情報の少なくとも一部分が一致したときに実行されることを特徴とする
請求項１から請求項３の何れか１項に記載の携帯情報端末。
【請求項５】
前記制御手段は、
前記第１近接操作にて前記ＩＣカードから読み取った前記カード識別情報と、前記端末側記憶手段に予め記憶される登録識別情報を照合する事前認証処理を実行し、
前記事前認証処理にて認証された場合、前記ＩＣカードに記憶される前記残高情報から前記請求情報の引き去りを実行することを特徴とする
請求項１から請求項４の何れか１項に記載の携帯情報端末。
【請求項６】
前記第１近接操作および前記第２近接操作において、前記携帯情報端末が前記ＩＣカードと通信した際に、前記携帯情報端末に備えられたスピーカから決済に特徴付けられた可聴音を出力することを特徴とする
請求項１から請求項５の何れか１項に記載の携帯情報端末。
【請求項７】
残高情報とカード識別情報を含んだカード情報を記憶するＩＣカードに近接させることで、前記残高情報に基づいて請求情報の決済処理を実行するインターネット接続機能を備えた携帯情報端末において実行可能な携帯情報端末用プログラムにおいて、
ユーザが前記携帯情報端末をインターネット接続してネットショッピングを行った際、購入する商品やコンテンツを確定した後、ユーザに前記携帯情報端末への前記ＩＣカードの第１近接操作を促す第１近接操作要求処理と、
前記ＩＣカードと前記携帯情報端末に設けられた端末側アンテナの通信により前記第１近接操作が行われたことを判断した場合、ユーザに前記携帯情報端末に設けられた入力手段による入力操作を促す入力操作要求処理と、
前記入力操作が行われた場合、ユーザに前記携帯情報端末への前記ＩＣカードの第２近接操作を促す第２近接操作要求処理と、
前記ＩＣカードと前記端末側アンテナの通信により前記第２近接操作が行われたことを判断した場合、前記ＩＣカードに記憶される前記残高情報から、前記購入する商品やコンテンツ購入に関して支払うべき前記請求情報の引き去りを実行する引き去り処理と、を実行することを特徴とする
携帯情報端末用プログラム。
【請求項８】
前記第１近接操作および前記第２近接操作において前記携帯情報端末が前記ＩＣカードと通信した際に、前記携帯情報端末に備えられたスピーカから決済に特徴付けられた可聴音を出力する処理を実行することを特徴とする
請求項７に記載の携帯情報端末用のプログラム。
【発明の詳細な説明】
【技術分野】
【０００１】
本発明は、インターネットなどの通信網を利用して各種情報のやりとりを可能とする携帯情報端末及び携帯情報端末用プログラムに関するものである。特に、ストアド金額をチャージしたＩＣカードにて決済可能な携帯情報端末及び携帯情報端末用プログラムに関する。
【背景技術】
【０００２】
近年、日常生活においてＩＣカードを使用した電子決済の利用機会が多くなっている。例えば、Ｓｕｉｃａ（登録商標）の呼び名で知られるＩＣカードは、鉄道運賃の支払いに際し、切符を買うことなく改札に設けられたカード読み取り手段にかざす操作によって、ＩＣカードに記憶された残高情報に基づいて決済することが可能である。
【０００３】
このようなＩＣカードの各種利用システムについて、特許文献１には、ＩＣカードに記憶するストアドフェア残高が不足した場合、クレジットカード情報に基づいてチャージするシステムが開示されている。また、特許文献２には、ＩＣカードを使用して顧客自らが決済を行うことのできる商品販売管理システムが開示されている。また、特許文献３には、ＩＣカードに自動チャージを行うに際し、不正使用などによる自動チャージの発生金額を低く抑えることのできる電子決済システムが開示されている。
【先行技術文献】
【特許文献】
【０００４】
【特許文献１】特開２００２−１０９５８４号公報
【特許文献２】特開２００５−１６５５５９号公報
【特許文献３】特開２００６−４８１２１号公報
【発明の概要】
【発明が解決しようとする課題】
【０００５】
このように、ＩＣカードの利用の範囲が広がる中、携帯電話やスマートホンなどの携帯情報端末とＩＣカードを利用して決済を行うことが考えられる。現在、このような携帯情報端末には、ＩＣカード読み取り用のアンテナが内蔵された機種が存在する。このような機種では、例えば、インターネット上のショッピングサイトにて、商品、あるいは、音楽、映像等のコンテンツを購入する際、ＩＣカードにチャージされている電子マネーで決済することが可能となる。
【０００６】
しかしながら、携帯情報端末をＩＣカードに近接するだけで決済可能となるため、例えば、鉄道駅構内、あるいは、電車やバスの車内など混雑した環境では、携帯情報端末を利用し、他人のＩＣカードにて決済を行うことが考えられる。ＩＣカードは、ポケットや鞄に収納されることが多く、また、ＩＣカードと携帯情報端末間は非接触で通信を行うことが可能であるため、携帯情報端末を他人のポケットや鞄に近接させることで、他人の電子マネーが不当に摂取されることとなる。
【０００７】
本発明は、携帯情報端末によるＩＣカードの決済を行うに際し、不当な決済を抑制するとともに、その安全性の向上を図ることを目的とするものである。
【課題を解決するための手段】
【０００８】
本発明に係る携帯情報端末は、
残高情報とカード識別情報を含んだカード情報を記憶するＩＣカードに近接させることで、前記残高情報に基づいて請求情報の決済処理を実行するインターネット接続機能を備えた携帯情報端末において、
前記携帯情報端末は、
前記ＩＣカードと近接させることで、前記ＩＣカードから前記カード情報を取得する端末側アンテナと、
前記端末側アンテナが取得した前記カード情報を記憶する端末側記憶手段と、
ユーザからの入力を受け付け可能な入力手段と、
決済処理を実行可能な制御手段と、
ユーザが前記携帯情報端末においてインターネット接続によるネットショッピングを行った際、購入する商品やコンテンツを確定した後、ユーザに前記携帯情報端末への前記ＩＣカードの第１近接操作を促す第１近接操作要求処理と、
前記ＩＣカードと前記携帯情報端末に設けられた端末側アンテナの通信により前記第１近接操作が行われたことを判断した場合、ユーザに前記携帯情報端末に設けられた入力手段による入力操作を促す入力操作要求処理と、
前記入力操作が行われた場合、ユーザに前記携帯情報端末への前記ＩＣカードの第２近接操作を促す第２近接操作要求処理と、
前記ＩＣカードと前記端末側アンテナの通信により前記第２近接操作が行われたことを判断した場合、前記ＩＣカードに記憶される前記残高情報から、前記商品やコンテンツの購入に関して支払うべき前記請求情報の引き去りを実行する引き去り処理と、を実行する制御手段と、を備えたことを特徴とする。
【０００９】
さらに本発明に係る携帯情報端末において、
前記第１近接操作では、前記ＩＣカードから前記カード識別情報の少なくとも一部分を読み取って、前記端末側記憶手段に記憶させ、
前記入力操作要求処理は、前記端末側記憶手段に記憶させた前記カード識別情報の少なくとも一部分の入力操作を促し、
前記第２近接操作要求処理は、前記端末側記憶手段に記憶させた前記カード識別情報の少なくとも一部分と、前記入力操作にて入力された入力情報が一致したときに実行されることを特徴とする。
【００１０】
さらに本発明に係る携帯情報端末において、
前記入力操作要求処理は、表示手段に認証確認情報を表示させ、
前記第２近接操作要求処理は、前記入力操作にて入力された入力情報と、前記表示手段に表示させた認証確認情報が一致したときに実行されることを特徴とする。
【００１１】
さらに本発明に係る携帯情報端末において、
前記第１近接操作では、前記ＩＣカードから前記カード識別情報の少なくとも一部分を読み取って、前記端末側記憶手段に記憶させ、
前記引き去り処理は、前記端末側記憶手段に記憶させた前記カード識別情報の少なくとも一部分と、前記第２近接操作時に前記ＩＣカードから読み取った前記カード識別情報の少なくとも一部分が一致したときに実行されることを特徴とする。
【００１２】
さらに本発明に係る携帯情報端末において、
前記制御手段は、
前記第１近接操作にて前記ＩＣカードから読み取った前記カード識別情報と、前記端末側記憶手段に予め記憶される登録識別情報を照合する事前認証処理を実行し、
前記事前認証処理にて認証された場合、前記ＩＣカードに記憶される前記残高情報から前記請求情報の引き去りを実行することを特徴とする。
【００１３】
さらに本発明に係る携帯情報端末において、
前記第１近接操作および前記第２近接操作において、前記携帯情報端末が前記ＩＣカードと通信した際に、前記携帯情報端末に備えられたスピーカから決済に特徴付けられた可聴音を出力することを特徴とする。
【発明の効果】
【００１４】
また本発明に係る携帯情報端末用プログラムは、
残高情報とカード識別情報を含んだカード情報を記憶するＩＣカードに近接させることで、前記残高情報に基づいて請求情報の決済処理を実行するインターネット接続機能を備えた携帯情報端末において実行可能な携帯情報端末用プログラムにおいて、
ユーザが前記携帯情報端末をインターネット接続してネットショッピングを行った際、購入する商品やコンテンツを確定した後、ユーザに前記携帯情報端末への前記ＩＣカードの第１近接操作を促す第１近接操作要求処理と、
前記ＩＣカードと前記携帯情報端末に設けられた端末側アンテナの通信により前記第１近接操作が行われたことを判断した場合、ユーザに前記携帯情報端末に設けられた入力手段による入力操作を促す入力操作要求処理と、
前記入力操作が行われた場合、ユーザに前記携帯情報端末への前記ＩＣカードの第２近接操作を促す第２近接操作要求処理と、
前記ＩＣカードと前記端末側アンテナの通信により前記第２近接操作が行われたことを判断した場合、前記ＩＣカードに記憶される前記残高情報から、前記購入する商品やコンテンツ購入に関して支払うべき前記請求情報の引き去りを実行する引き去り処理と、を実行することを特徴とする。
【００１５】
さらに本発明では、入力操作においてカード識別情報の少なくとも一部を入力させることで認証を行うこととしており、決済における安全性の向上が図られたものとなっている。
【００１６】
さらに本発明では、入力操作において認証確認情報を入力させることで認証を行うこととしており、決済における安全性の向上が図られたものとなっている。なお、認証確認情報としては、商品を購入したショッピングサイトから提供されたもの、あるいは、携帯情報端末にて生成したものを使用することが可能である。
【００１７】
さらに本発明では、第１近接操作と第２近接操作のそれぞれで、ＩＣカードからカード識別情報を読み取り、両者を照合する認証を行うことで、決済における安全性の向上が図られたものとなっている。
【図面の簡単な説明】
【００１８】
【図１】本発明の実施形態で使用するＩＣカードの外観を示す図
【図２】本発明の実施形態で使用するＩＣカードの内部構成を示す図
【図３】本発明の実施形態に係る携帯情報端末の外観を示す図（正面図）
【図４】本発明の実施形態に係る携帯情報端末の構成を示すブロック図
【図５】本発明の実施形態に係る決済処理（第１実施形態）を示すフロー図
【図６】本発明の実施形態に係るＩＣカード読取要求画面（１回目）を示す図
【図７】本発明の実施形態に係るＩＤｉ入力要求画面を示す図
【図８】本発明の実施形態に係るＩＣカード読取要求画面（２回目）を示す図
【図９】本発明の実施形態に係る事前登録処理を示すフロー図
【図１０】本発明の実施形態に係る決済処理（事前承認処理）を示すフロー図
【図１１】本発明の実施形態に係る決済処理（第２実施形態）を示すフロー図
【図１２】本発明の実施形態に係る認証確認入力要求画面を示す図
【発明を実施するための形態】
【００１９】
図１は、本発明の実施形態で使用する非接触式ＩＣカード（以下「ＩＣカード」と略する。）の外観を示す図であり、図１（Ａ）には、ＩＣカード２の表面の様子が、図１（Ｂ）には、ＩＣカード２の裏面の様子が示されている。
【００２０】
図１（Ｂ）に示されるようにＩＣカード２の裏面には、ＩＣカード２の利用に関しての注意事項などの案内説明が記載されている。また、裏面右下には、個々のＩＣカード２に割り振られたＩＤｉと呼ばれるカード識別情報が表示されている。本実施形態では、このＩＤｉは１２桁からなる数字と英字の組み合わせで構成されている。カード発行会社など
は、このＩＤｉをデータベースに登録することで、各種管理を行うことが可能となっている。
【００２１】
図２は、本発明の実施形態で使用するＩＣカードの内部構成を示す図が示されている。図２は、正面からＩＣカード２を透過したときの図である。また、図２の左下にはＩＣチップ２２近傍の断面の様子が示されている。ＩＣカード２は、ポリ塩化ビニル、プラスチック、紙などのカード基材２１内部に、ＩＣチップ２２とカードアンテナ２３が埋設されて構成されている。カードアンテナ２３はループ状に形成され、相手方のアンテナから出力される磁束の変化を電流に変換し、各種情報の送受信を行うことが可能となっている。本実施形態では、ＩＣカード２側に電源（バッテリー）を必要しないパッシブ型となっており、カードアンテナ２３に流れる電流を利用して、情報の送受信を行うこととしている。このような形態以外にＩＣカード２内に電源を有するアクティブ型を使用することも可能である。
【００２２】
ＩＣチップ２２内には、ＩＣカード２の裏面に表記されたＩＤｉ（第１のカード識別情報）の他、ＩＣカード２には、表記されていない第２のカード識別情報（ＩＤｍと呼ばれる）などのカード情報を記憶するカード側記憶部を有している。本実施形態で使用するカード識別情報としては、このＩＤi、ＩＤｍのどちらを使用することとしてもよい。この
カード側記憶部には、カード情報として、残高情報（残高金額）、並びに、入金履歴（入金日時、入金金額、入金場所）、決済履歴（決済日時、決済金額、決済場所など）なども記憶しており、いわゆる電子マネーとして機能するように構成されている。本実施形態では、電子マネーとしてのＩＣカード２として説明するが、このＩＣカード２に定期券情報などを記憶させることで電子定期券として機能させることとしてもよい。また、本実施形態のＩＣカード２は、パッシブ型となっており、ＩＣチップ２２内には、カードアンテナ２３を流れる電流を蓄積して電源として利用するコンデンサが積載されている。
【００２３】
このようなＩＣカード２は、電車やバスなどの各種交通機関における旅費の決済処理、あるいは、駅構内の売店やコンビニエンスストア、あるいは自動販売機などでの商品購入における決済処理に利用することが可能となっている。ところで、現在、このようなＩＣカード２は、前述した利用形態のみならず、携帯電話やスマートホンなどの携帯情報端末でのネットショッピング、あるいは、コンテンツ購入などの決済処理に利用することも考えられる。
【００２４】
図３には、このようなＩＣカード２による決済処理を可能とする携帯情報端末１の外観（正面図）が示されている。本実施形態の携帯情報端末１は、各種情報を表示すると共に、ユーザからのタッチ入力を受け付けるタッチパネルモニタ１３を備えている。入力手段としては、このタッチパネルモニタ１３以外に電源スイッチ１４ａや、各種操作スイッチ１４ｂ〜１４ｅといった入力部が設けられており、ユーザの操作入力を可能としている。また、ＩＣカード２との情報送受信を行うため、タッチパネルモニタ１３の上部には、ＩＣカード用アンテナ１９が筐体内部に埋設されている。ＩＣカード用アンテナ１９の設置位置を分かりやすくするため、筐体には位置を示す記号が表示されている。ユーザは、この記号位置にＩＣカード２をかざすことで、ＩＣカード２による決済処理を実行することが可能となっている。
【００２５】
図４には、本発明の実施形態に係る携帯情報端末１の構成を示すブロック図が示されている。本実施形態の携帯情報端末１は、通話機能、インターネット接続機能を備えたスマートホン形態であり、携帯無線網に接続するための構成として、無線通信部２０、携帯網用アンテナ２１を備えて構成されている。また、前述したＩＣカード２との情報送受信を可能とするため、ループ状のＩＣカード用アンテナ１９、それを制御するコントロールボード１８が設けられている。
【００２６】
このような外部との通信手段以外に、ユーザに対し視覚的情報を報知するための手段として、表示部１３ａ、表示制御部１２を有する。また、聴覚的情報を表示するための構成として音響制御部１５、スピーカ１６を有する。この音響制御部１５には、マイク１７が接続されており、通話などのため外部から音声情報を取得する手段としても機能する。そして、ユーザからの指示、入力を受け付けるための手段として、表示部１３ａに重畳されたタッチパネル１３ｂ、入力部１４を有している。このタッチパネル１３ｂは表示部１３ａと共にタッチパネルモニタ１３を構成する。入力部１４は、図３で説明したように電源スイッチ１４ａ、操作スイッチ１４ｂ〜１４ｅといったスイッチ類である。
【００２７】
制御部１０（制御手段）は、以上のような各種通信手段、報知手段、入力手段を統括して制御する手段であって、記憶部１１（端末側記憶手段）に記憶されたプログラムに基づいて、本実施形態の決済処理を含む各種処理を実行する。本実施形態の決済処理は、携帯情報端末１をインターネット接続してインターネット上のネット店舗にて、商品あるいは音楽や映像などのコンテンツを購入するネットショッピングを対象としている。ＩＣカード２を用いてこのような決済処理を実行する場合、携帯情報端末１のＩＣカード用アンテナ１９にＩＣカード２を近接させる（かざす）ことで決済が完了することとなる。
【００２８】
しかしながら、携帯情報端末１とＩＣカード２の間に衣類や鞄が介在した程度であっても決済処理を行うことが可能である。したがって、電車などの混雑した車内では、他人のＩＣカード２を使用して決済処理を行うことが考えられる。すなわち、携帯情報端末１による商品やコンテンツの購入時に、当該携帯情報端末１を、他人のポケットや鞄に入っているＩＣカード２にかざすことで、ＩＣカード２に蓄積されている残高情報（残高金額）にて決済処理を行う輩が発生することが考えられる。このような決済処理は他人の電子マネーを不当に摂取するものであり、これを防ぐ手立てを考える必要がある。
【００２９】
本実施形態は、このような携帯情報端末１により、ＩＣカード２に蓄積された残高情報の窃盗を防ぐことを目的とするものである。特に、本実施形態の決済処理では、携帯情報端末をＩＣカード２に近接させる近接操作、携帯情報端末に対する入力操作、再度の近接操作を行わせることで、相手の鞄やポケットなどに入っているＩＣカード２にて決済を行おうとする際、周囲から不審な行為にみえるようにすることで、その抑制を図るものである。
【００３０】
（第１実施形態）
では、このような窃盗を抑制する決済処理について、その第１実施形態を図５〜図８を用いて説明する。図５は、本発明の実施形態に係る決済処理（第１実施形態）を示すフロー図であり、図６は、本発明の実施形態に係るＩＣカード読取要求画面（１回目）を示す図であり、図７は、本発明の実施形態に係るＩＤｉ入力要求画面を示す図であり、図８は、本発明の実施形態に係るＩＣカード読取要求画面（２回目）を示す図である。
【００３１】
図５に示されるフロー図は、携帯情報端末１においてインターネット接続によるネットショッピングを行った際、購入する商品やコンテンツを確定した後の処理である。この決済処理が開始されると、まず、タッチパネルモニタ１３上にてユーザに決済方法を選択させる（Ｓ１０１）。通常、ネットショッピングにおいては、クレジットカード、銀行振込、代引き払いなど各種決済方法を選択することが可能となっている。本実施形態では、このような決済方法に加え、ＩＣカード２に予め記憶（チャージ）されている残高金額（残高情報）から請求金額（請求情報）を引き去る決済方法を選択することが可能となっている。
【００３２】
Ｓ１０２では、ＩＣカード２による決済か否かが判定される。ＩＣカード２以外による
決済方法が選択された場合（Ｓ１０２：ＮＯ）には、選択された他の決済方法による決済処理が実行される（Ｓ１０４）。一方、ユーザによりＩＣカード２による決済方法が選択された場合（Ｓ１０２：Ｙｅｓ）には、まず、携帯情報端末１のタッチパネルモニタ１３上にＩＣカード読取要求画面を表示させる（Ｓ１０３）。図６には、このＩＣカード読取要求画面が示されている。画面上には、商品あるいはコンテンツ購入に関して支払うべき請求金額３ａ、並びにＩＣカード２を携帯情報端末１のＩＣカード用アンテナ１９に近接させるように促す説明が表示されている。
【００３３】
ユーザが、携帯情報端末１をＩＣカード２に近接させることで（Ｓ１０５：Ｙｅｓ）、携帯情報端末１は、まず、ＩＣカード２からＩＤｉ（カード識別情報）を読み出し、記憶部１１に記憶させる（Ｓ１０６）。本実施形態では、ＩＣカード２から読み出して携帯情報端末１側に記憶させたＩＤｉを利用して認証処理を行うこととしている。この認証処理では、ＩＤｉ中の少なくとも一部分をユーザに入力させることで、ＩＣカード２の利用の正否を認証する。ＩＣカード２の保持者であれば、ＩＣカード２の裏面に表記されているＩＤｉを確認することが可能である。一方、他人の鞄やポケットなどに入ったＩＣカード２にて不当に決済を行う場合にはＩＤｉを確認することは不可能である。本実施形態では、このようにユーザ入力による第１認証処理を行うことで、決済の安全性を高めることとしている。
【００３４】
図７には、この認証処理におけるＩＤｉ入力要求画面が示されている（Ｓ１０７）。本実施形態のＩＤｉ入力要求画面では、ＩＤｉの下４桁をユーザに入力させることとしている。そのため、画面上部にはＩＤｉ入力欄３ｂが表示されるとともに、画面下部にはＩＤｉ入力欄３ｂに数値を入力するためのソフトキーボード３ｃが表示されている。携帯情報端末１にて決済処理を行うユーザは、決済対象となるＩＣカード２の裏面を視認して、ＩＤｉの下４桁を確認し、ソフトキーボード３ｃを利用してＩＤｉ入力欄３ｂに数値を入力する。本実施形態では、ＩＤiを数値のみと仮定しているが、このＩＤｉはアルファベッ
ト、もしくは、アルファベットと数値の組み合わせであってもよい。また、ＩＤｉを入力させる部分については、下４桁部分のみならず、各種部分を使用することが可能である。あるいは決済処理毎にＩＤｉの入力部分を変更することとしてもよい。
【００３５】
図５の決済処理のフロー図に戻り、ＩＤｉの入力が完了する（Ｓ１０８：Ｙｅｓ）と、Ｓ１０６にてＩＣカード２から読み取ったＩＤｉとＳ１０８にてユーザから入力のあったＩＤｉの少なくとも一部分を照合する第１の認証処理が実行される。この第１の認証処理にてＩＤｉが照合しなかった場合（Ｓ１０９：Ｎｏ）には、タッチパネルモニタ１３に認証（決済）ができなかった旨を示す認証不可画面（図示せず）を表示して決済処理を終了する（Ｓ１１０）。
【００３６】
一方、ＩＤｉが照合した場合（Ｓ１０９：Ｙｅｓ）には、ＩＣカード読取要求画面をタッチパネルモニタ１３に表示させ（Ｓ１１１）、ユーザに対し、再度（２回目）、ＩＣカード２を携帯情報端末１に読み取らせる操作を促す。図８には、本発明の実施形態に係るＩＣカード読取要求画面（２回目）が示されている。このＩＣカード読取要求画面には、請求金額３ａに加え、ＩＣカード２を携帯情報端末１のＩＣカード用アンテナ１９に近接させるように促す説明が表示されている。ユーザは、この画面に従い、再度、ＩＣカード２を携帯情報端末１に近接させることで、ＩＣカード２に記憶された残高金額による請求金額３ａの決済を行うこととしている。
【００３７】
このように本実施形態では、決済処理を行うにあたり、ＩＣカード２に対し携帯情報端末１を２回近接させる操作を必要とすることで、携帯情報端末１を他人の鞄やポケットに何度も近接させる必要が生じ、周囲から不審な行為とみえるようにしている。
【００３８】
さらに本実施形態では、この２回目の携帯情報端末１とＩＣカード２を近接させるにあたって第２の認証処理を行うことで決済処理の安全性を高めることとしている。この第２の認証処理では、１回目の近接の際にＩＣカード２から読み取ったＩＤｉと、２回目の近接の際にＩＣカード２から読み取ったＩＤｉとを照合することで、同じＩＣカード２の場合のみ、決済を実行することとしている。
【００３９】
図５のフロー図では、携帯情報端末１とＩＣカード２が近接し、ＩＣカード２内の情報を読み取り可能となった場合（Ｓ１１２：Ｙｅｓ）、携帯情報端末１は、ＩＣカード２から決済に使用する残高金額（残高情報）とＩＤｉを読み出し、記憶部１１に記憶させる。携帯情報端末１は、Ｓ１１３にて読み出されたＩＤiと、１回目の近接操作にて読み出さ
れたＩＤiとを照合する第２の認証処理を実行する。この第２の認証処理にて、両者が一
致していない場合（Ｓ１１４：Ｎｏ）には、タッチパネルモニタ１３に認証（決済）ができなかった旨を示す認証不可画面（図示せず）を表示して決済処理を終了する（Ｓ１１０）。
【００４０】
一方、ＩＤｉが照合した場合（Ｓ１１４：Ｙｅｓ）には、２回目の近接操作にてＩＣカード２から読み取った残高金額（残高情報）から請求金額（請求情報）を減額する引き去り処理が実行される（Ｓ１１７）。引き去り処理の完了後には、タッチパネルモニタ１３に決済完了画面（図示せず）を表示（Ｓ１１８）して、一連の決済処理を終了する。ただし、残高金額が請求金額に満たない場合（Ｓ１１５：Ｎｏ）が考えられる。この場合、タッチパネルモニタ１３に残高不足画面（図示せず）を表示して決済処理を終了する（Ｓ１１６）。
【００４１】
以上、第１実施形態の決済処理においては、ユーザに対して１回目の近接操作要求（第１近接操作要求処理）を行った後、ユーザに携帯情報端末１を入力操作させる入力操作要求を行うことで、確実にユーザの手元での操作を行わせることが可能となる。そして再度、近接操作要求（第２近接操作要求処理）を行うことで、残高情報から請求情報の引き去り（引き去り処理）を実行させることとしている。したがって、ユーザは、決済処理を完了させるにあたって２回、ＩＣカード２と携帯情報端末１を近接させる必要がある。このような形態では、他人のポケットや鞄に入っているＩＣカード２に対して決済処理（窃盗）を行うとしたとき、他人に対し複数回、携帯情報端末１を近接させることとなり、ＩＣカード２の所持者あるいは周囲から不審な行為とみえることとなる。したがって、窃盗の早期発見、あるいは、窃盗抑制につながることとなる。
【００４２】
なお、本実施形態における入力操作では、ＩＤｉの少なくとも一部分を入力させることで認証を兼ねた操作となっているが、この入力操作は、ユーザの手元に戻すことを意図するものであって、例えば、単にスイッチの操作を要求するなど簡易なものとすることとしてもよい。また、１回目、２回目の近接操作において、ＩＣカード２と携帯情報端末１が通信した際、携帯情報端末１のスピーカ１６から、サウンドマークのようなＩＣカード２の決済に特徴付けられた可聴音を出力することとしてもよい。携帯情報端末１から決済に特徴付けられた可聴音が出力されることで、他人による決済が行われようとした場合、ＩＣカード２の保持者の周囲で放音されることとなるため、状況を周囲に気付かせることが可能となる。なお、この可聴音の放音は、携帯情報端末１がミュート状態に設定されている場合においても強制的に放音することが好ましい。また、本実施形態では、複数回の近接操作が行われるため、その両方にて可聴音を放音をすることで、決済に関する周囲への喚起がより確実なものとなる。
【００４３】
ところで、このような決済処理では、複数回の近接操作並びに入力操作を必要とするため、本来、簡単な決済を可能とするＩＣカード２の目的から逸脱したものとなる。したがって携帯情報端末１に予め登録してあるＩＣカード２については、上述した複数回の近接
操作並びに入力操作を必要することなく、残高金額からの引き去りを行うこととしても良い。
【００４４】
図９には、このようなＩＣカード２による簡単な決済を行うため、携帯情報端末１にて実行される事前登録処理が記載されている。また、図１０には、事前登録処理を行った携帯情報端末１において実行される決済処理（事前認証処理を含む）のフロー図が記載されている。
【００４５】
本実施形態では、携帯情報端末１とＩＣカード２の対応付けを行うめ、携帯情報端末１にてＩＣカード２を事前登録する事前登録プログラム（事前登録処理）を実行することが可能となっている。携帯情報端末１において、この事前登録処理が実行されると、ＩＣカード２の登録、削除、修正を選択可能なメニュー画面がタッチパネルモニタ１３に表示（図示せず）される（Ｓ４０１）。
【００４６】
このメニュー画面にてＩＣカード２の登録が選択された場合（Ｓ４０２：Ｙｅｓ）、ユーザに対して、ＩＣカード２の裏面に表記されたＩＤｉ（全てもしくは一部分）を入力させるＩＤｉ入力画面が表示される（Ｓ４０４）。ユーザは、自己が所有するＩＣカード２の裏面に表記されたＩＤｉ（全てもしくは一部分）を入力手段を介して入力する（Ｓ４０５）。ＩＤｉの入力完了後（Ｓ４０５：Ｙｅｓ）、入力されたＩＤｉを表示する確認画面をタッチパネルモニタ１３に表示してユーザに登録の確認を問う（Ｓ４０６）。入力手段から登録指示が入力された場合（Ｓ４０７：Ｙｅｓ）、入力されたＩＤｉを登録識別情報として記憶部１１に記憶させる。一方、修正が指示された場合（Ｓ４０７：Ｎｏ）には、Ｓ４０４に戻り、ＩＤｉ入力画面にて再度、ＩＤｉを入力させる。
【００４７】
以上、事前登録処理について、ＩＤｉの登録の説明を行ったが、この事前登録処理では、登録したＩＣカード２の削除、修正などを行うことを可能としている（Ｓ４０３）。また、この事前登録処理では、ＩＤｉを入力手段から直接入力させているが、このような入力形態に代え、ＩＣカード用アンテナ１９を介してＩＣカード２に記憶するＩＤｉもしくはＩＤｍを読み込み、登録識別情報として記憶させることとしてもよい。
【００４８】
図１０には、このような事前登録処理を可能とする携帯情報端末１について、事前認証処理を含んだ決済処理について、そのフロー図が記載されている。フロー図中、Ｓ１０２〜Ｓ１０６は、図５で説明した決済処理の処理内容と同じであるためここでの説明は省略する。
【００４９】
本実施形態では、事前登録処理にて登録されているＩＣカード２については、一度の近接操作にて決済（残高金額からの引き去り）を可能としている。第１回目のＩＣカード２の近接操作が有りと判定された場合（Ｓ１０５：Ｙｅｓ）、携帯情報端末１は、ＩＣカード２からＩＤｉを読み出して記憶部１１に記憶させる。ここで、前述したようにＩＣカード２の事前登録処理が行われていた場合、記憶部１１には、登録されたＩＣカード２のＩＤｉ（登録識別情報）が記憶された状態となっている。
【００５０】
Ｓ３０１での事前認証処理では、ＩＣカード２から読み出したＩＤｉと、記憶部１１に事前登録されているＩＤｉを照合し、一致していると判定された場合（Ｓ３０１：Ｙｅｓ）には、ＩＣカード２から残高金額を読み出した上（Ｓ３０２）で、図５のフロー中、Ｓ１１５に進み、残高金額と決済金額に基づく引き去り処理を実行する。したがって、この場合には決済は１回の近接操作にて終了することとなる。一方、一致していないと判定された場合（Ｓ３０１：Ｎｏ）には、図５のフロー中、Ｓ１０７以降の処理を実行し、第１実施形態で説明したように、入力操作と再度の近接操作をユーザに要求することとなる。
【００５１】
このように事前認証処理を実行する本実施形態では、事前登録されたＩＣカード２に対しては、一度の近接操作にて決済を行うことを可能とし、ＩＣカード２による有利性を活かした決済処理を行うこととしている。一方、事前登録されていないＩＣカード２に対しては、複数回の近接操作並びに入力操作を必要とすることで、決済の安全性を確保している。
【００５２】
（第２実施形態）
決済処理の安全性を確保するには、他の形態を採用することも考えられる。第１実施形態では、ＩＣカード２に表記されたＩＤｉの少なくとも一部分をユーザに入力させる認証を行うことで、不適切な決済の抑制を図ることとしていたが、この入力操作では他の認証手法を採用することも可能である。図１１、図１２には、他の認証手法を採用する第２実施形態について、その決済処理についてのフロー図、認証確認入力要求画面が示されている。
【００５３】
図１１の決済処理は、図５で説明した決済処理と、入力操作における認証手法が異なるのみである。フロー図中、図５と同じ符号を有する処理については、従前に説明した内容に等しいものである。ここでは、入力操作における認証手法（Ｓ２０１〜Ｓ２０４）について詳しく説明する。
【００５４】
決済処理を行うにあたり、本実施形態では、商品やコンテンツを購入したインターネット上の店舗（ショッピングサイト）、あるいは、インターネット上で決済を実行する決済サーバなどから任意の認証確認情報を取得することとしている。本実施形態では４桁の数字としているが、アルファベットを組み合わせるなど任意の形態とすることが可能である。
【００５５】
１回目の近接操作が完了（Ｓ１０５：Ｙｅｓ）し、ＩＣカード２からＩＤｉを読み出して記憶部１１に記憶（Ｓ１０６）した後、携帯情報端末１は、認証確認入力要求画面を表示して、ユーザに対して認証確認情報の入力を促す。図１２に示されるように、この認証確認入力要求画面には、ショッピングサイトから認証確認情報３ｄ（図の例では４桁の数字、「３８２３」）をタッチパネル１３上に表示させ、ユーザにこの認証確認情報３ｄを入力させるよう促している。また、タッチパネルモニタ１３上には認証確認情報３ｄを入力するためのソフトキーボード３ｃも表示されている。
【００５６】
ユーザは、この認証確認入力要求画面に表示される認証確認情報３ｄを確認し、ソフトキーボード３ｃにて認証確認情報入力欄３ｅに数値を入力する。入力操作が完了したことが判定される（Ｓ２０３：Ｙｅｓ）と、携帯情報端末１は、入力操作にて入力された入力情報と、ショッピングサイトなどから提供された認証確認情報３ｄが整合するか否かを判定する（Ｓ２０４）。整合した（認証成功）場合（Ｓ２０４：Ｙｅｓ）には、Ｓ１１１以降の処理を継続して実行する。一方、整合しなかった（認証失敗）場合には、タッチパネルモニタ１３に認証（決済）ができなかった旨を示す認証不可画面（図示せず）を表示して決済処理を終了する（Ｓ１１０）。
【００５７】
以上、本実施形態では、入力操作において認証を行う際、ショッピングサイトなどから提供された認証確認情報３ｄを使用することとしている。認証確認情報３ｄは、このように携帯情報端末１の外部から取得する以外に、携帯情報端末１にて生成することとしてもよい。
【００５８】
以上、第１、第２実施形態について携帯情報端末１の決済処理を説明したが、これらの実施形態では、携帯情報端末１をＩＣカード２に近接させる（１回目）、携帯情報端末１をユーザの手元にて操作させる、ＩＣカード２に近接させる（２回目）という一連の処理
を行わせることで、例えば、他人のポケットや鞄などに入っているＩＣカード２に対して近接操作を行った場合には、周囲に不審な行為としてみえることとなるため、窃盗行為の早期発見、あるいは、窃盗抑制につながることとなる。
【００５９】
なお、本発明はこれらの実施形態のみに限られるものではなく、それぞれの実施形態の構成を適宜組み合わせて構成した実施形態も本発明の範疇となるものである。
【符号の説明】
【００６０】
１…携帯情報端末
１０…制御部
１１…記憶部
１２…表示制御部
１３…タッチパネルモニタ
１３ａ…表示部
１３ｂ…タッチパネル
１４…入力部
１４ａ…電源スイッチ
１４ｂ〜１４ｅ…操作スイッチ
１５…音響制御部
１６…スピーカ
１７…マイク
１８…コントロールボード
１９…ＩＣカード用アンテナ
２０…無線通信部
２１…携帯網用アンテナ
２…非接触式ＩＣカード
２ａ…ＩＤｉ（カード識別情報）
２ｂ…利用案内情報
２１（２１ａ、２１ｂ）…カード基材
２２…ＩＣチップ
２３…カードアンテナ
３ａ…決済金額
３ｂ…ＩＤｉ入力欄
３ｃ…ソフトキーボード
３ｄ…認証確認情報
３ｅ…認証確認情報入力欄
【図１】
0005597236.tif 000002
【図２】
0005597236.tif 000003
【図３】
0005597236.tif 000004
【図４】
0005597236.tif 000005
【図５】
0005597236.tif 000006
【図６】
0005597236.tif 000007
【図７】
0005597236.tif 000008
【図８】
0005597236.tif 000009
【図９】
0005597236.tif 000010
【図１０】
0005597236.tif 000011
【図１１】
0005597236.tif 000012
【図１２】
0005597236.tif 000013